(57)【要約】      （修正有）【課題】コスト高を招くことなく低消費電力にて高音質を得ることが可能なオーディオシステム及びオーディオ信号の伝送方法を提供する。【解決手段】電源電圧を単一の伝送路上に印加しつつ、オーディオ再生部１１は、ディジタルの再生オーディオデータ信号ＡＤに変換し、これを送信信号処理部１３に供給する。音量操作部１２は、スピーカ４ａ音量調整操作及びスピーカ４ｂに対する音量調整操作を夫々個別に受け付け、その音量調整量を示す音量調整データＶＯＬａ及びＶＯＬｂを送信信号処理部に供給する。音量操作部は、スピーカ４ａに対する音量調整量を示す音量調整データＶＯＬａ、及びスピーカ４ｂに対する音量調整量を示す音量調整データＶＯＬｂを送信信号処理部１３に供給する。【選択図】図１
2015015618.tif 000002
【特許請求の範囲】
【請求項１】
オーディオ信号と音量調整量を示す情報を含む制御データ信号とに変調を施した変調オーディオ信号を単一の伝送路に送出する送信信号処理部、及び電源電圧を生成してこれを前記伝送路に印加する電源電圧生成部を含むオーディオ信号送信部と、
前記伝送路を介して受信した前記変調オーディオ信号から前記オーディオ信号及び前記制御データ信号を復調する受信信号処理部、前記制御データ信号にて示される前記音量調整量に対応した利得で前記オーディオ信号を増幅した増幅オーディオ信号をスピーカに供給するアンプ、及び前記伝送路から前記電源電圧を取り出しこれを前記アンプ及び前記受信信号処理部に供給する電源電圧導出部を含む受信増幅部と、を有することを特徴とするオーディオシステム。
【請求項２】
前記送信信号処理部は、通信網から供給された又は記憶媒体から再生された再生オーディオ信号に対して、前記スピーカの再生周波数帯域に応じた周波数帯域を透過させるバンドパス特性にてフィルタリングを施すことにより前記オーディオ信号を得るフィルタを含むことを特徴とする請求項１記載のオーディオシステム。
【請求項３】
前記制御データ信号は位相調整値を示す情報を含み、
前記受信信号処理部は、前記制御データ信号によって示される前記位相調整値に基づく遅延時間だけ前記オーディオ信号を遅延させて前記アンプに供給する遅延回路を含むことを特徴とする請求項１又は２記載のオーディオシステム。
【請求項４】
前記伝送路にはＭ個（Ｍは２以上の自然数）の前記受信増幅部が接続されており、
前記送信信号処理部は、前記受信増幅部の各々に対応した前記オーディオ信号及び前記制御データ信号を時分割多重化した信号に前記変調を施した変調オーディオ信号を前記伝送路に送出し、
前記遅延時間は、前記受信増幅部の各々に対応した前記オーディオ信号同士の時間差を吸収する為のオフセット遅延時間を含むことを特徴とする請求項３記載のオーディオシステム。
【請求項５】
前記受信増幅部は、復調された前記オーディオ信号に基づいて伝送品質を判定し当該伝送品質が高いほど前記変調オーディオ信号の振幅を低下させるべき送信出力制御信号を生成し、これに変調を施した変調送信出力制御信号を前記伝送路を介して前記オーディオ信号送信部に送信し、
前記オーディオ信号送信部は、前記伝送路を介して受信した前記変調送信出力制御信号から前記送信出力制御信号を復調し、当該送信出力制御信号に応じて前記変調オーディオ信号の振幅を調整することを特徴とする請求項１ないし４のいずれか１に記載のオーディオシステム。
【請求項６】
前記受信信号処理部は、復調した前記オーディオ信号に対して、前記スピーカの再生周波数帯域と等しい周波数帯域だけ透過させるバンドパス特性にてフィルタリングを施すフィルタを含むことを特徴とする請求項１記載のオーディオシステム。
【請求項７】
前記制御データ信号は前記フィルタのバンドパス特性を指定する情報を含み、
前記受信信号処理部は、前記フィルタの前記バンドパス特性を前記制御データ信号によって指定されたバンドパス特性に設定することを特徴とする請求項６記載のオーディオシステム。
【請求項８】
前記アンプはＤ級パワーアンプであることを特徴とする請求項１ないし７のいずれか１に記載のオーディオシステム。
【請求項９】
前記変調はＱＰＳＫ変調又はＱＡＭであることを特徴とする請求項１ないし８のいずれか１に記載のオーディオシステム。
【請求項１０】
オーディオ信号を送信し、受信した前記オーディオ信号をアンプで増幅した増幅オーディオ信号をスピーカに供給するオーディオシステムのオーディオ信号の伝送方法であって、
電源電圧を単一の伝送路上に印加しつつ、前記オーディオ信号と音量調整量を示す情報を含む制御データ信号とに変調を施した変調オーディオ信号を前記伝送路に送出し、
前記伝送路上から取り出した前記電源電圧を前記アンプに供給しつつ、前記伝送路を介して受信した前記変調オーディオ信号から前記オーディオ信号及び前記制御データ信号を復調し、前記制御データ信号にて示される前記音量調整量に対応した利得で前記オーディオ信号を増幅させるべく前記アンプを制御することを特徴とするオーディオ信号の伝送方法。
【発明の詳細な説明】
【技術分野】
【０００１】
本発明は、伝送路を介してオーディオ信号をスピーカ側に伝送するオーディオシステム及びオーディオ信号の伝送方法に関する。
【背景技術】
【０００２】
車載用のオーディオシステムでは、車のバッテリから電源供給を受けるようにしている為、低消費電力化が望まれている。その一方、高音質化を図るべく、スピーカを駆動するパワーアンプとして、電力消費量が大きい大出力のＡ級又はＢ級パワーアンプを搭載した車載オーディオシステムが製品化されている。そこで、低消費電力化と高音質化を両立させるべく、このパワーアンプとして、低消費電力で高出力を得ることが可能なディジタルアンプ、いわゆるＤ級アンプを用いるようにした音響システムが提案されている（例えば、特許文献１の図８参照）。かかる音響システムでは、スピーカ側にＤ級パワーアンプを設け、オーディオ信号を、伝送路を介してこのＤ級パワーアンプに供給するようにしている。
【０００３】
ところで、スピーカ側にＤ級パワーアンプを設けた場合、このＤ級パワーアンプに電源を供給する為の電源ケーブルが必要となる。よって、システム全体の規模が大となり、コスト高を招くという問題が生じた。
【０００４】
また、このような音響システムでは、小音量時にはオーディオ信号の振幅が小となるので、伝送路での損失に起因する音質劣化が顕著になるという問題があった。
【先行技術文献】
【特許文献】
【０００５】
【特許文献１】特開２００６−２６７５３４号公報
【発明の概要】
【発明が解決しようとする課題】
【０００６】
本願発明は、コスト高を招くことなく低消費電力にて高音質を得ることが可能なオーディオシステム及びオーディオ信号の伝送方法を提供することを目的とする。
【課題を解決するための手段】
【０００７】
本発明に係るオーディオシステムは、オーディオ信号と音量調整量を示す情報を含む制御データ信号とに変調を施した変調オーディオ信号を単一の伝送路に送出する送信信号処理部、及び電源電圧を生成してこれを前記伝送路に印加する電源電圧生成部を含むオーディオ信号送信部と、前記伝送路を介して受信した前記変調オーディオ信号から前記オーディオ信号及び前記制御データ信号を復調する受信信号処理部、前記制御データ信号にて示される前記音量調整量に対応した利得で前記オーディオ信号を増幅した増幅オーディオ信号をスピーカに供給するアンプ、及び前記伝送路から前記電源電圧を取り出しこれを前記アンプ及び前記受信信号処理部に供給する電源電圧導出部を含む受信増幅部と、を有する。
【０００８】
また、本発明に係るオーディオ信号の伝送方法は、オーディオ信号を送信し、受信した前記オーディオ信号をアンプで増幅した増幅オーディオ信号をスピーカに供給するオーディオシステムのオーディオ信号の伝送方法であって、電源電圧を単一の伝送路上に印加しつつ、前記オーディオ信号と音量調整量を示す情報を含む制御データ信号とに変調を施した変調オーディオ信号を前記伝送路に送出し、前記伝送路上から取り出した前記電源電圧を前記アンプに供給しつつ、前記伝送路を介して受信した前記変調オーディオ信号から前記オーディオ信号及び前記制御データ信号を復調し、前記制御データ信号にて示される前記音量調整量に対応した利得で前記オーディオ信号を増幅させるべく前記アンプを制御する。
【図面の簡単な説明】
【０００９】
【図１】本発明に係るオーディオシステムを示すブロック図である。
【図２】送信信号処理部１３の内部構成の一例を示すブロック図である。
【図３】スピーカ４ａ及び４ｂ各々の再生周波数帯域を示す周波数特性図である。
【図４】本発明に係るオーディオシステムにおける動作の一例を示すタイムチャートである。
【図５】受信信号処理部３２ａ及び３２ｂの内部構成の一例を示すブロック図である。
【図６】送信信号処理部１３の内部構成の他の一例を示すブロック図である。
【図７】受信信号処理部３２ａ及び３２ｂの内部構成の一例を示すブロック図である。
【図８】本発明に係るオーディオシステムにおける動作の他の一例を示すタイムチャートである。
【図９】本発明に係るオーディオシステムの他の一例を示すブロック図である。
【図１０】送信出力制御部３５ａ及び受信信号処理部３２０ｂの内部構成を示すブロック図である。
【図１１】オーディオ信号送信部１と、送信出力制御部３５ａ及び３５ｂの送信タイミングを示すタイムチャートである。
【図１２】送信信号処理部１３０及び送信出力制御部１６の内部構成を示すブロック図である。
【図１３】左右２チャネル分のスピーカシステムを含むオーディオシステムの概略構成を示すブロック図である。
【図１４】図１３に示すオーディオシステムにおける動作の一例を示すタイムチャートである。
【発明を実施するための形態】
【００１０】
図１は、本発明に係るオーディオシステムの構成を示すブロック図である。
【００１１】
図１に示すオーディオシステムは、オーディオ信号送信部１、伝送ケーブル２、受信増幅部３ａ、３ｂ、スピーカ４ａ、４ｂを含む。
【００１２】
オーディオ信号送信部１は、オーディオ再生部１１、音量操作部１２、送信信号処理部１３、コンデンサ１４及び電源電圧生成部１５を含む。
【００１３】
オーディオ再生部１１は、例えば磁気ディスク、光ディスク、又は半導体メモリ等の記憶媒体からオーディオ信号を再生する音楽プレーヤ（図示せぬ）、或いは、放送波又はインターネット等の通信網を介して供給された再生オーディオ信号を取得するラジオ受信機又は情報再生装置（図示せぬ）等を含む。オーディオ再生部１１は、上記の如き記憶媒体又は通信網から再生されたオーディオ信号を例えばＩ２Ｓ（Inter-IC Sound）規格に従ったフォーマットからなるディジタルの再生オーディオデータ信号ＡＤに変換し、これを送信信号処理部１３に供給する。
【００１４】
音量操作部１２は、使用者による音量調整操作、つまりスピーカ４ａ音量調整操作及びスピーカ４ｂに対する音量調整操作を夫々個別に受け付け、その音量調整量を示す音量調整データＶＯＬａ及びＶＯＬｂを送信信号処理部１３に供給する。すなわち、音量操作部１２は、スピーカ４ａに対する音量調整量を示す音量調整データＶＯＬａ、及びスピーカ４ｂに対する音量調整量を示す音量調整データＶＯＬｂを送信信号処理部１３に供給する。
【００１５】
図２は、送信信号処理部１３の内部構成を示すブロック図である。
【００１６】
図２に示すように、送信信号処理部１３は、フィルタ１３１、１３２、誤り訂正符号化回路１３３、１３４、フレーム生成回路１３５、変調回路１３６、ＤＡ変換器１３７及び送信アンプ１３８を含む。
【００１７】
フィルタ１３１は、例えばＦＩＲ(Finite Impulse Response)フィルタ等からなるディジタルのバンドパスフィルタである。フィルタ１３１は、図３に示す如きスピーカ４ａの再生周波数帯域ｆａと等しい周波数帯域の成分だけを透過させるべきバンドパス特性にて、上記した再生オーディオデータ信号ＡＤに対してフィルタリングを施して得られたオーディオデータ信号ＦＤａを誤り訂正符号化回路１３３に供給する。尚、再生周波数帯域ｆａは、図３に示すように、可聴周波数帯域を高音域側及び低音域側に２分割した際の低音域側の周波数帯域である。よって、フィルタ１３１は、低音域側のディバイディングネットワークとして機能する。ただし、上記したように、フィルタ１３１としては、ローパスフィルタではなくバンドパスフィルタが用いられる。
【００１８】
誤り訂正符号化回路１３３は、オーディオデータ信号ＦＤａに対して、例えばＢＣＨ符号或いはリードソロモン符号の如き誤り訂正符号化処理を施して得られたオーディオデータ信号ＣＤａを、フレーム生成回路１３５に供給する。
【００１９】
フィルタ１３２は、例えばＦＩＲフィルタ等からなるディジタルのバンドパスフィルタである。フィルタ１３２は、図３に示す如きスピーカ４ｂの再生周波数帯域ｆｂと等しい周波数帯域の成分だけを透過させるべきバンドパス特性にて、上記した再生オーディオデータ信号ＡＤに対してフィルタリングを施して得られたオーディオデータ信号ＦＤｂを誤り訂正符号化回路１３４に供給する。尚、再生周波数帯域ｆｂは、図３に示すように、可聴周波数帯域を高音域側及び低音域側に２分割した際の高音域側の周波数帯域である。よって、フィルタ１３２は、高音域側のディバイディングネットワークとして機能する。ただし、上記したように、フィルタ１３２としては、ハイパスフィルタではなくバンドパスフィルタが用いられる。
【００２０】
誤り訂正符号化回路１３４は、オーディオデータ信号ＦＤｂに対して、例えばＢＣＨ符号或いはリードソロモン符号の如き誤り訂正符号化処理を施して得られたオーディオデータ信号ＣＤｂを、フレーム生成回路１３５に供給する。
【００２１】
フレーム生成回路１３５は、オーディオデータ信号ＣＤａ及びＣＤｂを図４に示す如く所定長のフレーム毎に時分割にて配置し、且つ各フレーム内においてＣＤａ及びＣＤｂと共に、音量調整データＶＯＬａ及びＶＯＬｂ、位相調整データＰＣａ及びＰＣｂを順に配置してなるフレームオーディオ信号ＦＡを生成する。すなわち、フレーム生成回路１３５は、音量調整データＶＯＬａ、ＶＯＬｂ、位相調整データＰＣａ及びＰＣｂを含む制御データ信号と、オーディオデータ信号（ＣＤａ、ＣＤｂ）と、を時分割多重化したフレームオーディオ信号ＦＡを生成するのである。尚、位相調整データＰＣａ（ＰＣｂ）とは、スピーカ４ａ（４ｂ）に供給するオーディオ信号（後述する）の位相を調整する調整値、つまりスピーカ４ａ及び４ｂ各々から音響出力される音の位相を聴取位置で一致させる為の位相調整値を示す情報である。フレーム生成回路１３５は、上記したフレームオーディオ信号ＦＡを変調回路１３６に供給する。
【００２２】
変調回路１３６は、上記したフレームオーディオ信号ＦＡに対して、ＱＰＳＫ（Quadrature  phase  shift  keying）変調、或いはＱＡＭ（Quadrature  amplitude  modulation）等のディジタル変調を施して得られた変調オーディオデータ信号ＭＤをＤＡ変換器１３７に供給する。ＤＡ変換器１３７は、かかる変調オーディオデータ信号ＭＤをアナログ信号の変調オーディオ信号ＭＡに変換し、これを送信アンプ１３８に供給する。
【００２３】
送信アンプ１３８は、かかる変調オーディオ信号ＭＡを増幅した変調オーディオ信号ＴＸを、コンデンサ１４及び伝送ケーブル２を介して受信増幅部３ａ及び３ｂに送信する。尚、伝送ケーブル２は、上記した変調オーディオ信号ＴＸを伝送する為の１本の信号ラインと、１本の接地ラインとからなる、例えば同軸ケーブル、ツイストペア線、又は平行線等の単一の伝送路である。コンデンサ１４の一端は送信信号処理部１３の出力端に接続されており、他端が伝送ケーブル２における信号ラインに接続されている。コンデンサ１４は、かかる信号ライン上の直流成分が送信信号処理部１３に流れ込むのを遮断する。
【００２４】
電源電圧生成部１５は、受信増幅部３ａ及び３ｂを駆動する為の直流の電源電圧ＶＤＤを生成し、これを伝送ケーブル２の上記信号ライン上に印加する。
【００２５】
上記構成により、オーディオ信号送信部１は、オーディオデータ信号（ＣＤａ、ＣＤｂ）及び制御データ信号（ＶＯＬａ、ＶＯＬｂ、ＰＣａ、ＰＣｂ）を時分割多重化したフレームオーディオ信号ＦＡを生成し、これに変調を施した変調オーディオ信号ＴＸを、直流の電源電圧ＶＤＤと共に伝送ケーブル２を介して受信増幅部３ａ及び３ｂに供給する。
【００２６】
受信増幅部３ａは、コンデンサ３１ａ、受信信号処理部３２ａ、Ｄ級アンプ３３ａ及び電源電圧導出部３４ａを含む。コンデンサ３１ａの一端は伝送ケーブル２における上記信号ラインに接続されており、他端は受信信号処理部３２ａの入力端に接続されている。コンデンサ３１ａは、伝送ケーブル２の上記信号ライン上の直流成分が受信信号処理部３２ａの入力端に流れ込むのを遮断する。オーディオ信号送信部１から送信された変調オーディオ信号ＴＸは、伝送ケーブル２及びコンデンサ３１ａを介して、受信変調オーディオ信号ＲＸａとして受信信号処理部３２ａに供給される。
【００２７】
図５は、受信信号処理部３２ａ及び３２ｂの内部構成を示すブロック図である。
【００２８】
図５に示すように、受信信号処理部３２ａは、受信アンプ３２１ａ、ＡＤ変換器３２２ａ、復調回路３２３ａ、データ抽出回路３２４ａ、誤り訂正回路３２５ａ、制御信号生成回路３２６ａ及び可変遅延回路３２７ａを含む。受信アンプ３２１ａは、受信変調オーディオ信号ＲＸａを増幅した変調オーディオ信号ＲＡａをＡＤ変換器３２２ａに供給する。ＡＤ変換器３２２ａは、かかる変調オーディオ信号ＲＡａをディジタル形態の変調オーディオデータ信号ＲＤａに変換し、復調回路３２３ａに供給する。復調回路３２３ａは、変調オーディオデータ信号ＲＤａに対して、上記した送信信号処理部１３の変調回路１３６でのディジタル変調に対応した復調処理を施すことにより、図４に示す如きデータフォーマットを有するフレームオーディオ信号ＦＡを復元し、これをフレームオーディオ信号ＦＲａとしてデータ抽出回路３２４ａに供給する。
【００２９】
データ抽出回路３２４ａは、フレームオーディオ信号ＦＲａにおける各フレームから、オーディオデータ信号ＣＤａ、音量調整データＶＯＬａ及び位相調整データＰＣａを抽出する。そして、データ抽出回路３２４ａは、かかるオーディオデータ信号ＣＤａを誤り訂正回路３２５ａに供給し、音量調整データＶＯＬａ及び位相調整データＰＣａを制御信号生成回路３２６ａに供給する。誤り訂正回路３２５ａは、オーディオデータ信号ＣＤａに対して誤り訂正処理を施すことにより、誤りビットの訂正されたオーディオデータ信号ＱＤａを生成し、これを可変遅延回路３２７ａに供給する。制御信号生成回路３２６ａは、音量調整データＶＯＬａにて示される音量の調整量の分だけ利得を調整すべき利得調整信号ＶＬａを生成してこれをＤ級アンプ３３ａに供給する。更に、制御信号生成回路３２６ａは、図４に示す如き、各フレーム内でのオーディオデータ信号ＣＤａ及びＣＤｂ同士の時間差を吸収する為のオフセット遅延時間Ｔｏｆ１に、位相調整データＰＣａにて示される位相調整値を加算した遅延時間を示す遅延制御信号ＤＬａを、可変遅延回路３２７ａに供給する。尚、オフセット遅延時間Ｔｏｆ１は、時分割多重化によって離散したオーディオデータ信号ＣＤａ及びＣＤｂ各々の先頭部同士の時間差を無くす為に設定された、オーディオデータ信号ＣＤａに対する遅延時間である。可変遅延回路３２７ａは、オーディオデータ信号ＱＤａを、上記遅延制御信号ＤＬａにて示される遅延時間の分だけ遅延させたものをオーディオデータ信号ＡＧａとし、これをＤ級アンプ３３ａに供給する。
【００３０】
Ｄ級アンプ３３ａは、Ｄ級パワーアンプであり、上記した利得調整信号ＶＬａにて示される利得でオーディオデータ信号ＡＧａを増幅することにより、スピーカ４ａを駆動する増幅オーディオ信号ＡＶａを生成し、これをスピーカ４ａに供給する。電源電圧導出部３４ａは、伝送ケーブル２の信号ライン上に重畳されている直流の電源電圧ＶＤＤを導出し、かかる電源電圧ＶＤＤを、上記した受信信号処理部３２ａ及びＤ級アンプ３３ａ各々を動作させる電源として夫々に供給する。
【００３１】
スピーカ４ａは、図３に示す再生周波数帯域ｆａ、つまり可聴周波数帯域を高音域側及び低音域側に２分割した際の低音域側を再生周波数帯域とする、いわゆるウーハであり、上記した増幅オーディオ信号ＡＶａに応じた音響出力を行う。この際、増幅オーディオ信号ＡＶａは、オーディオ再生部１１から送出された再生オーディオデータ信号ＡＤにおける周波数帯域を、上記した再生周波数帯域ｆａに帯域制限したものである。よって、ウーハとしてのスピーカ４ａは、かかる増幅オーディオ信号ＡＶａに応じて低音域の音響出力を行う。
【００３２】
図１において、受信増幅部３ｂは、コンデンサ３１ｂ、受信信号処理部３２ｂ、Ｄ級アンプ３３ｂ及び電源電圧導出部３４ｂを含む。コンデンサ３１ｂの一端は伝送ケーブル２の上記信号ラインに接続されており、他端は受信信号処理部３２ｂの入力端に接続されている。コンデンサ３１ｂは、伝送ケーブル２の上記信号ライン上の直流成分が受信信号処理部３２ｂの入力端に流れ込むのを遮断する。オーディオ信号送信部１から送信された変調オーディオ信号ＴＸは、伝送ケーブル２及びコンデンサ３１ｂを介して、受信変調オーディオ信号ＲＸｂとして受信信号処理部３２ｂに供給される。
【００３３】
受信信号処理部３２ｂは、図５に示す如く、受信アンプ３２１ｂ、ＡＤ変換器３２２ｂ、復調回路３２３ｂ、データ抽出回路３２４ｂ、誤り訂正回路３２５ｂ、制御信号生成回路３２６ｂ及び可変遅延回路３２７ｂを含む。受信アンプ３２１ｂは、受信変調オーディオ信号ＲＸｂを増幅した変調オーディオ信号ＲＡｂをＡＤ変換器３２２ｂに供給する。ＡＤ変換器３２２ｂは、かかる変調オーディオ信号ＲＡｂをディジタル形態の変調オーディオデータ信号ＲＤｂに変換し、復調回路３２３ｂに供給する。復調回路３２３ｂは、変調オーディオデータ信号ＲＤｂに対して、上記した変調回路１３６でのディジタル変調に対応した復調処理を施すことにより、図４に示す如きデータフォーマットを有するフレームオーディオ信号ＦＡを復元し、これをフレームオーディオ信号ＦＲｂとしてデータ抽出回路３２４ｂに供給する。
【００３４】
データ抽出回路３２４ｂは、フレームオーディオ信号ＦＲｂにおける各フレームから、オーディオデータ信号ＣＤｂ、音量調整データＶＯＬｂ及び位相調整データＰＣｂを抽出する。そして、データ抽出回路３２４ｂは、かかるオーディオデータ信号ＣＤｂを誤り訂正回路３２５ｂに供給し、音量調整データＶＯＬｂ及び位相調整データＰＣｂを制御信号生成回路３２６ｂに供給する。誤り訂正回路３２５ｂは、オーディオデータ信号ＣＤｂに対して誤り訂正処理を施すことにより、誤りビットの訂正されたオーディオデータ信号ＱＤｂを生成し、これを可変遅延回路３２７ｂに供給する。制御信号生成回路３２６ｂは、音量調整データＶＯＬｂにて示される音量の調整量の分だけ利得を調整すべき利得調整信号ＶＬｂを生成してこれをＤ級アンプ３３ｂに供給する。更に、制御信号生成回路３２６ｂは、図４に示す如き、各フレーム内でのオーディオデータ信号ＣＤａ及びＣＤｂ同士の時間差を吸収する為のオフセット遅延時間Ｔｏｆ２に、位相調整データＰＣｂにて示される位相調整値を加算した遅延時間を示す遅延制御信号ＤＬｂを、可変遅延回路３２７ｂに供給する。 尚、オフセット遅延時間Ｔｏｆ２は、時分割多重化によって離散したオーディオデータ信号ＣＤａ及びＣＤｂ各々の先頭部同士の時間差を無くす為に設定された、オーディオデータ信号ＣＤｂに対する遅延時間である。可変遅延回路３２７ｂは、オーディオデータ信号ＱＤｂを、上記遅延制御信号ＤＬｂにて示される遅延時間の分だけ遅延させたものをオーディオデータ信号ＡＧｂとし、これをＤ級アンプ３３ｂに供給する。
【００３５】
Ｄ級アンプ３３ｂは、Ｄ級パワーアンプであり、上記した利得調整信号ＶＬｂにて示される利得でオーディオデータ信号ＡＧｂを増幅することにより、スピーカ４ｂを駆動する増幅オーディオ信号ＡＶｂを生成し、これをスピーカ４ｂに供給する。電源電圧導出部３４ｂは、伝送ケーブル２の信号ライン上に重畳されている直流の電源電圧ＶＤＤを導出し、かかる電源電圧ＶＤＤを、上記した受信信号処理部３２ｂ及びＤ級アンプ３３ｂ各々を動作させる電源として夫々に供給する。
【００３６】
スピーカ４ｂは、図３に示す再生周波数帯域ｆｂ、つまり可聴周波数帯域を高音域側及び低音域側に２分割した際の高音域側を再生周波数帯域とする、いわゆるツィータであり、上記した増幅オーディオ信号ＡＶｂに応じた音響出力を行う。この際、増幅オーディオ信号ＡＶｂは、オーディオ再生部１１から送出された再生オーディオデータ信号ＡＤにおける周波数帯域を、上記した再生周波数帯域ｆｂに帯域制限したものである。よって、ツィータとしてのスピーカ４ｂは、かかる増幅オーディオ信号ＡＶａに応じて高音域の音響出力を行う。
【００３７】
以上の如く、上記オーディオシステムでは、オーディオ信号送信部（１）が、直流の電源電圧（ＶＤＤ）を単一の伝送路（２）に印加しつつ、以下の如きオーディオ信号の送信を行う。すなわち、オーディオ信号（ＦＤａ、ＣＤａ、ＦＤｂ、ＣＤｂ）と、音量調整量を示す情報（ＶＯＬａ、ＶＯＬｂ）及び位相調整値を示す情報（ＰＣａ、ＰＣｂ）を含む制御データ信号とに変調を施した変調オーディオ信号（ＴＸ）を上記伝送路を介して受信増幅部（３ａ、３ｂ）に送信する。この際、受信増幅部は、伝送路上から上記電源電圧を取り出しこの電源電圧の供給によって動作し、以下の如き受信処理を行う。すなわち、受信増幅部は、受信した変調オーディオ信号から上記したオーディオ信号及び制御データ信号を復調し、この制御データ信号にて示される位相調整値に基づく時間に亘りこのオーディオ信号を遅延させることにより、位相調整を施したオーディオ信号をパワーアンプとしてのＤ級アンプ（３３ａ、３３ｂ）に供給する。この際、Ｄ級アンプは、上記制御データ信号にて示される音量調整量に応じた利得（ＶＬａ、ＶＬｂ）で、上記オーディオ信号の振幅を増幅して得られた増幅オーディオ信号（ＡＶａ、ＡＶｂ）をスピーカ（４ａ、４ｂ）に供給する。よって、スピーカは、オーディオ信号送信部から送信された制御データ信号にて示される音量調整量に応じた音量でオーディオ信号に基づく音響出力を行う。
【００３８】
かかるオーディオシステムによれば、オーディオ信号送信部１側において実施された音量調整操作に応じて、スピーカ側に設けられているＤ級アンプの利得調整による音量調整が為される。これにより、音量調整操作によって小音量に設定すべき調整が為されても、伝送路を流れるオーディオ信号自体の振幅が小さくなることは無いので、小音量時における伝送路損失に伴う音質劣化を抑制することが可能となる。
【００３９】
また、このオーディオシステムでは、オーディオ信号送信部１において為された音量調整操作に応じて、ウーハ側のＤ級アンプ（３３ａ）及びツィータ側のＤ級アンプ（３３ｂ）に対する音量調整を個別に行うことができる。よって、聴取位置において、各帯域の音圧を一定とした良好な音響出力を提供することが可能となる。
【００４０】
また、このオーディオシステムでは、オーディオ装置側から、Ｄ級アンプを動作させる為の直流の電源電圧を変調オーディオ信号と共に単一の伝送路を介して受信増幅部側に供給するようにしている。よって、電源電圧を供給する為の専用の電源ケーブルが不要となり、コスト増を抑えることが可能となる。
【００４１】
更に、上記オーディオシステムでは、オーディオ信号をＤ級アンプに供給するにあたり、このＤ級アンプに接続されるスピーカの再生周波数帯域（ｆａ、ｆｂ）と等しい周波数帯域のみをフィルタ（１３１、１３２）で透過させたオーディオデータ信号（ＦＤａ、ＦＤｂ、ＣＤａ、ＣＤｂ）をＤ級アンプに供給するようにしている。これにより、例えソースとなるオーディオ信号（ＡＤ）に、スピーカで再生することができない周波数帯域の成分が含まれていても、Ｄ級アンプは、この再生不可となる周波数帯域に含まれるオーディオ信号成分に対する増幅処理は行わないので、その分だけ電力消費を抑えることが可能となる。
【００４２】
尚、上記実施例では、オーディオ信号送信部１側に設けたフィルタ１３１及び１３２によって、再生オーディオデータ信号ＡＤに対して、スピーカ４ａ及び４ｂ各々の再生周波数帯域に対応した帯域分割を施すようにしているが、フィルタ１３１の機能を受信増幅部３ａに設け、フィルタ１３２の機能を受信増幅部３ｂに設けるようにしても良い。また、この際、オーディオ信号送信部１側から、これらフィルタ各々の周波数特性を個別に制御できるようにしても良い。
【００４３】
図６及び図７は、かかる点に鑑みて為された、送信信号処理部１３、受信信号処理部３２ａ及び３２ｂ各々の内部構成の他の一例を示すブロック図である。
【００４４】
図６に示す構成では、送信信号処理部１３は、変調回路１３６、ＤＡ変換器１３７、送信アンプ１３８、誤り訂正符号化回路１３９及びフレーム生成回路１４０からなる。誤り訂正符号化回路１３９は、オーディオ再生部１１から供給された再生オーディオデータ信号ＡＤに対して、例えばＢＣＨ符号或いはリードソロモン符号の如き誤り訂正符号化処理を施して得られたオーディオデータ信号ＣＤＤを、フレーム生成回路１４０に供給する。
【００４５】
フレーム生成回路１４０は、オーディオデータ信号ＣＤＤを図８に示す如く所定長のフレーム毎に時分割にて配置し、且つ各フレーム内においてＣＤＤと共に、音量調整データＶＯＬａ、ＶＯＬｂ、位相調整データＰＣａ、ＰＣｂ、再生帯域設定データＦＣａ及びＦＣｂを順に配置してなるフレームオーディオ信号ＦＡを生成する。すなわち、フレーム生成回路１４０は、音量調整データＶＯＬａＶＯＬｂ、位相調整データＰＣａ、ＰＣｂ、再生帯域設定データＦＣａ及びＦＣｂを含む制御データ信号と、オーディオデータ信号ＣＤＤと、を時分割多重化したフレームオーディオ信号ＦＡを生成するのである。尚、再生帯域設定データＦＣａ（ＦＣｂ）とは、受信増幅部３ａ（３ｂ）に設けられている可変フィルタ（後述する）のバンドパス特性を指定する為の情報である。フレーム生成回路１４０は、上記したフレームオーディオ信号ＦＡを変調回路１３６に供給する。変調回路１３６は、上記したフレームオーディオ信号ＦＡに対して、ＱＰＳＫ変調、或いはＱＡＭ等のディジタル変調を施して得られた変調オーディオデータ信号ＭＤをＤＡ変換器１３７に供給する。ＤＡ変換器１３７は、かかる変調オーディオデータ信号ＭＤをアナログ信号の変調オーディオ信号ＭＡに変換し、これを送信アンプ１３８に供給する。送信アンプ１３８は、かかる変調オーディオ信号ＭＡを増幅した変調オーディオ信号ＴＸを、コンデンサ１４及び伝送ケーブル２を介して受信増幅部３ａ及び３ｂに送信する。
【００４６】
受信増幅部３ａの受信信号処理部３２ａは、図７に示すように、受信アンプ３２１ａ、ＡＤ変換器３２２ａ、復調回路３２３ａ、データ抽出回路３３４ａ、誤り訂正回路３３５ａ、制御信号生成回路３３６ａ、可変フィルタ３３７ａ及び可変遅延回路３３８ａを含む。受信アンプ３２１ａは、コンデンサ３１ａを介して受信した受信変調オーディオ信号ＲＸａを増幅した変調オーディオ信号ＲＡａをＡＤ変換器３２２ａに供給する。ＡＤ変換器３２２ａは、かかる変調オーディオ信号ＲＡａをディジタル形態の変調オーディオデータ信号ＲＤａに変換し、復調回路３２３ａに供給する。復調回路３２３ａは、変調オーディオデータ信号ＲＤａに対して、上記した送信信号処理部１３の変調回路１３６でのディジタル変調に対応した復調処理を施すことにより、図８に示す如きデータフォーマットを有するフレームオーディオ信号を復元し、これをフレームオーディオ信号ＦＲａとしてデータ抽出回路３３４ａに供給する。
【００４７】
データ抽出回路３３４ａは、図８に示す如きフレームオーディオ信号ＦＲａにおける各フレームから、オーディオデータ信号ＣＤＤ、音量調整データＶＯＬａ、位相調整データＰＣａ及び再生帯域設定データＦＣａを抽出する。そして、データ抽出回路３３４ａは、かかるオーディオデータ信号ＣＤＤを誤り訂正回路３３５ａに供給し、音量調整データＶＯＬａ、位相調整データＰＣａ及び再生帯域設定データＦＣａを制御信号生成回路３３６ａに供給する。誤り訂正回路３３５ａは、オーディオデータ信号ＣＤＤに対して誤り訂正処理を施すことにより、誤りビットの訂正されたオーディオデータ信号ＶＤａを生成し、これを可変フィルタ３３７ａに供給する。
【００４８】
制御信号生成回路３３６ａは、可変フィルタ３３７ａのバンドパス特性を、再生帯域設定データＦＣａにて指定されたバンドパス特性、例えば、図３の再生周波数帯域ｆａのみを透過させるバンドパス特性に設定すべきフィルタ係数Ｋａを、この可変フィルタ３３７ａに供給する。更に、制御信号生成回路３３６ａは、音量調整データＶＯＬａにて示される音量の調整量の分だけ利得を調整すべき利得調整信号ＶＬａを生成してこれをＤ級アンプ３３ａに供給する。更に、制御信号生成回路３３６ａは、各フレーム内のオーディオデータ信号ＣＤＤにおける出力チャネル（例えば、右チャネル及び左チャネル）同士の時間差を吸収する為のオフセット遅延時間Ｔｏｆ１に、位相調整データＰＣａにて示される位相調整値を加算した遅延時間を示す遅延制御信号ＤＬａを、可変遅延回路３３８ａに供給する。
【００４９】
可変フィルタ３３７ａは、例えばＦＩＲフィルタ等からなるディジタルのバンドパスフィルタである。可変フィルタ３３７ａは、上記したフィルタ係数Ｋａに応じたバンドバス特性にて、誤り訂正回路３３５ａから供給されたオーディオデータ信号ＶＤａに対してフィルタリングを施して得たオーディオデータ信号ＱＤａを可変遅延回路３３８ａに供給する。すなわち、かかるフィルタ係数Ｋａに応じて、可変フィルタ３３７ａは、オーディオデータ信号ＶＤａ中から、図３の再生周波数帯域ｆａに含まれる低域周波数成分のみを透過させ、これをオーディオデータ信号ＱＤａとして可変遅延回路３３８ａに供給するのである。可変遅延回路３３８ａは、オーディオデータ信号ＱＤａを、上記遅延制御信号ＤＬａにて示される遅延時間の分だけ遅延したものをオーディオデータ信号ＡＧａとし、これをＤ級アンプ３３ａに供給する。
【００５０】
一方、受信増幅部３ｂの受信信号処理部３２ｂは、図７に示すように、受信アンプ３２１ｂ、ＡＤ変換器３２２ｂ、復調回路３２３ｂ、データ抽出回路３３４ｂ、誤り訂正回路３３５ｂ、制御信号生成回路３３６ｂ、可変フィルタ３３７ｂ及び可変遅延回路３３８ｂを含む。受信アンプ３２１ｂは、コンデンサ３１ｂを介して受信した受信変調オーディオ信号ＲＸｂを増幅した変調オーディオ信号ＲＡｂをＡＤ変換器３２２ｂに供給する。ＡＤ変換器３２２ｂは、かかる変調オーディオ信号ＲＡｂをディジタル形態の変調オーディオデータ信号ＲＤｂに変換し、復調回路３２３ｂに供給する。復調回路３２３ｂは、変調オーディオデータ信号ＲＤｂに対して、上記した送信信号処理部１３の変調回路１３６でのディジタル変調に対応した復調処理を施すことにより、図８に示す如きデータフォーマットを有するフレームオーディオ信号を復元し、これをフレームオーディオ信号ＦＲｂとしてデータ抽出回路３３４ｂに供給する。
【００５１】
データ抽出回路３３４ｂは、図８に示す如きフレームオーディオ信号ＦＲｂにおける各フレームから、オーディオデータ信号ＣＤＤ、音量調整データＶＯＬｂ、位相調整データＰＣｂ及び再生帯域設定データＦＣｂを抽出する。そして、データ抽出回路３３４ｂは、かかるオーディオデータ信号ＣＤＤを誤り訂正回路３３５ｂに供給し、音量調整データＶＯＬｂ、位相調整データＰＣｂ及び再生帯域設定データＦＣｂを制御信号生成回路３３６ｂに供給する。誤り訂正回路３３５ｂは、オーディオデータ信号ＣＤＤに対して誤り訂正処理を施すことにより、誤りビットの訂正されたオーディオデータ信号ＶＤｂを生成し、これを可変フィルタ３３７ｂに供給する。
【００５２】
制御信号生成回路３３６ｂは、可変フィルタ３３７ｂのバンドパス特性を、再生帯域設定データＦＣｂにて指定されたバンドパス特性、例えば、図３の再生周波数帯域ｆｂのみを透過させるバンドパス特性に設定すべきフィルタ係数Ｋｂを、この可変フィルタ３３７ｂに供給する。更に、制御信号生成回路３３６ｂは、音量調整データＶＯＬｂにて示される音量の調整量の分だけ利得を調整すべき利得調整信号ＶＬｂを生成してこれをＤ級アンプ３３ｂに供給する。更に、制御信号生成回路３３６ｂは、各フレーム内のオーディオデータ信号ＣＤＤにおける出力チャネル（例えば、右チャネル及び左チャネル）同士の時間差を吸収する為のオフセット遅延時間Ｔｏｆ１に、位相調整データＰＣｂにて示される位相調整値を加算した遅延時間を示す遅延制御信号ＤＬｂを、可変遅延回路３３８ｂに供給する。尚、図１に示す一例では、出力チャネルが、ウーハとしてのスピーカ４ａ及びツィータとしてのスピーカ４ｂからなる１チャネル分だけなので、図８に示すように、受信信号処理部３２ａ及び３２ｂでは共に同一のオフセット遅延時間Ｔｏｆ１を用いている。
【００５３】
可変フィルタ３３７ｂは、例えばＦＩＲフィルタ等からなるディジタルのバンドパスフィルタである。可変フィルタ３３７ｂは、上記したフィルタ係数Ｋｂに応じたバンドバス特性にて、誤り訂正回路３３５ｂから供給されたオーディオデータ信号ＶＤｂに対してフィルタリングを施して得たオーディオデータ信号ＱＤｂを可変遅延回路３３８ｂに供給する。すなわち、かかるフィルタ係数Ｋｂに応じて、可変フィルタ３３７ｂは、オーディオデータ信号ＶＤｂ中から、図３の再生周波数帯域ｆｂに含まれる高域周波数成分のみを透過させ、これをオーディオデータ信号ＱＤｂとして可変遅延回路３３８ｂに供給するのである。可変遅延回路３３８ｂは、オーディオデータ信号ＱＤｂを、上記遅延制御信号ＤＬｂにて示される遅延時間の分だけ遅延させたものをオーディオデータ信号ＡＧｂとし、これをＤ級アンプ３３ｂに供給する。
【００５４】
以上の如く、図６に示す内部構成を有する送信信号処理部１３、及び図７に示す内部構成を有する受信信号処理部３２ａ及び３２ｂを採用したオーディオシステムでは、スピーカ用の低域側のディバイディングネットワークとして可変フィルタ３３７ａを受信増幅部３ａに設け、スピーカ用の高域側のディバイディングネットワークとして可変フィルタ３３７ｂを受信増幅部３ｂに設けるようにしている。この際、かかる構成によれば、オーディオ信号送信部１側から送信する再生帯域設定データＦＣａ及びＦＣｂにより、可変フィルタ３３７ａ及び３３７ｂ各々のバンドパス特性を個別に設定することが可能となる。これにより、ウーハとして用いられるスピーカ４ａ又はツィータとして用いられるスピーカ４ｂを他のスピーカに変更しても、再生帯域設定データＦＣａ及びＦＣｂによって、変更後のスピーカの再生周波数帯域に対応した帯域分割を行うことが可能可熊となるので、フィルタを変更する手間が省ける。
【００５５】
また、図６及び図７に示す構成を採用したオーディオシステムでは、ウーハ側の受信信号処理部３２ａに可変遅延回路３３８ａを設け、ツィータ側の受信信号処理部３２ｂに可変遅延回路３３８ｂを設け、可変遅延回路３３８ａ及び３３８ｂ各々の遅延量を、オーディオ信号送信部１から送信された位相調整データＰＣａ及びＰＣｂによって個別に変更できるようにしている。よって、位相調整データＰＣａ及びＰＣｂを用いた上記遅延量の調整によれば、ウーハとしてのスピーカ４ａ及びツィータとしてのスピーカ４ｂの各々から発せられる音の位相を揃えるべき位相調整を行うことができるので、良好な音場を提供することが可能となる。
【００５６】
ここで、変調オーディオ信号ＴＸを伝送ケーブル２を介して受信増幅部３ａ及び３ｂの各々に送信する場合、この変調オーディオ信号ＴＸの振幅が大きいほど伝送ケーブル２から放射されるノイズも大となる。そこで、伝送ケーブル２からの放射ノイズを低減させるべく、変調オーディオ信号ＴＸの振幅を伝送に支障を来さない程度に小さくするようにしても良い。
【００５７】
図９は、かかる点に鑑みて為されたオーディオシステムの他の構成を示すブロック図である。尚、図９に示すオーディオシステムでは、オーディオ信号送信部１内に送信出力制御部１６を設け、且つ受信増幅部３ａ（３ｂ）内に送信出力制御部３５ａ（３５ｂ）を設けると共に、送信信号処理部１３に代えて送信信号処理部１３０を採用し、受信信号処理部３２ａ（３２ｂ）に代えて受信信号処理部３２０ａ（３２０ｂ）を採用した点を除く他の構成は図１に示すものと同一である。この際、オーディオ信号送信部１内では、送信信号処理部１３０の出力端、コンデンサ１４の一端及び送信出力制御部１６の入力端がラインＬ１によって共通に接続されている。一方、受信増幅部３ａ（３ｂ）内では、コンデンサ３１ａ（３１ｂ）の一端、受信信号処理部３２０ａ（３２０ｂ）の入力端、及び送信出力制御部３５ａ（３５ｂ）の出力端がラインＬ２ａ（Ｌ２ｂ）によって共通に接続されている。
【００５８】
図１０は、図９に示す受信増幅部３ａに含まれる送信出力制御部３５ａ及び受信信号処理部３２０ａの内部構成を示すブロック図である。尚、図１０において、受信信号処理部３２０ａは、復調回路３２３ａに代えて復調回路３４３ａを採用し、誤り訂正回路３２５ａに代えて誤り訂正回路３４５ａを採用した点を除く他の構成は、図７に示すものと同一である。よって、図１０に示す受信信号処理部３２０ａについては、復調回路３４３ａ及び誤り訂正回路３４５ａの動作のみを説明する。
【００５９】
復調回路３４３ａは、ＡＤ変換器３２２ａから供給された変調オーディオデータ信号ＲＤａに対して、上記した変調回路１３６でのディジタル変調に対応した復調処理を施すことによりフレームオーディオ信号ＦＲａを生成して、これをデータ抽出回路３２４ａに共有する。更に、復調回路３４３ａは、変調オーディオデータ信号ＲＤａにおけるディジタル変調の誤差比、いわゆるＭＥＲ(Modulation Error ratio)、又は変調精度を示すＥＶＭ（Error Vector Magnitude）を検出し、これを第１伝送品質評価値として示す第１伝送品質評価データ信号Ｑ１を送信出力制御部３５ａに供給する。
【００６０】
誤り訂正回路３４５ａは、データ抽出回路３３４ａから供給されたオーディオデータ信号ＣＤＤに対して誤り訂正処理を施すことにより、誤りビットの訂正されたオーディオデータ信号ＶＤａを生成し、これを可変遅延回路３２７ａに供給する。更に、誤り訂正回路３４５ａは、かかる誤り訂正処理による誤りビット率、いわゆるＢＥＲ（Bit Error Ratio）又は誤りビット総数を検出し、これを第２伝送品質評価値として示す第２伝送品質評価データ信号Ｑ２を送信出力制御部３５ａに供給する。
【００６１】
送信出力制御部３５ａは、図１０に示すように、伝送品質判定回路３５１ａ、送信出力制御信号生成回路３５２ａ、変調回路３５３ａ、ＤＡ変換器３５４ａ及び送信アンプ３５５ａを含む。伝送品質判定回路３５１ａは、上記第１伝送品質評価データ信号Ｑ１及び第２伝送品質評価データ信号Ｑ２に基づき、伝送ケーブル２を介した通信における伝送品質の度合いを判定する。例えば、第１伝送品質評価データ信号Ｑ１によって示される誤りビット率が低く、且つ第２伝送品質評価データ信号Ｑ２によって示されるディジタル変調の誤差比が小なるほど、伝送品質が高いことを示す伝送品質度データを送信出力制御信号生成回路３５２ａに供給する。送信出力制御信号生成回路３５２ａは、伝送品質度データによって示される伝送品質が高いほど送信出力を低下させる一方、その伝送品質が低いほど送信出力を増加させるべき送信出力制御信号ＰＣＤを生成しこれを変調回路３５３ａに供給する。変調回路３５３ａは、かかる送信出力制御信号ＰＣＤに対して、ＱＰＳＫ変調、或いはＱＡＭ等のディジタル変調を施して得られた変調送信出力制御信号ＰＱＤをＤＡ変換器３５４ａに供給する。ＤＡ変換器３５４ａは、かかる変調送信出力制御信号ＰＱＤをアナログ信号の変調送信出力制御信号ＰＱに変換し、これを送信アンプ３５５ａに供給する。
【００６２】
送信アンプ３５５ａは、かかる変調送信出力制御信号ＰＱを増幅した変調送信出力制御信号ＰＨａを生成しこれを、図１１に示す如き変調オーディオ信号ＴＸにおける隣接するフレーム同士の間の空き時間ＧＡ内において、ラインＬ２ａ及び伝送ケーブル２を介してオーディオ信号送信部１に送信する。
【００６３】
ここで、図９に示される受信増幅部３ｂ内の送信出力制御部３５ｂ及び受信信号処理部３２０ｂは、図１０に示す送信出力制御部３５ａ及び受信信号処理部３２０ａと同一の内部構成を有する。ただし、受信増幅部３ｂにおける送信出力制御部３５ｂ内の送信アンプ３５５ｂ（送信アンプ３５５ａに相当）は、図１１に示す如き空き時間ＧＡ内において、送信アンプ３５５ａによる変調送信出力制御信号ＰＨａの送信タイミングとは異なる送信タイミングで、変調送信出力制御信号ＰＨｂを伝送ケーブル２を介してオーディオ信号送信部１に送信する。すなわち、受信増幅部３ａの送信出力制御部３５ａから出力された変調送信出力制御信号ＰＨａと、受信増幅部３ｂの送信出力制御部３５ｂから出力された変調送信出力制御信号ＰＨｂとが、図１１に示す如く空き時間ＧＡ内において順次、単一の伝送ケーブル２を介してオーディオ信号送信部１側に送信されるのである。
【００６４】
図１２は、オーディオ信号送信部１内に設けられている送信出力制御部１６及び送信信号処理部１３０各々の内部構成を示すブロック図である。尚、送信信号処理部１３０の内部構成では、送信アンプ１３８に代えて可変利得送信アンプ２３８を採用した点を除く他の構成は、図６に示すものと同一である。一方、送信出力制御部１６は、図１２に示すように、受信アンプ１６１、ＡＤ変換器１６２、復調回路１６３及び利得設定回路１６４を含む。受信アンプ１６１は、伝送ケーブル２を介して図９に示される受信増幅部３ａ又は３ｂから送信された変調送信出力制御信号ＰＨａ又はＰＨｂを受信しこれを増幅した変調送信出力制御信号ＰＳをＡＤ変換器１６２に供給する。ＡＤ変換器１６２は、変調送信出力制御信号ＰＳをディジタル値の変調送信出力制御データ信号ＰＭＤに変換し、これを復調回路１６３に供給する。復調回路１６３は、変調送信出力制御データ信号ＰＭＤに対して、上記した変調回路３５３ａ（３５３ｂ）でのディジタル変調に対応した復調処理を施すことにより、上記した送信出力制御信号を復元しこれを送信出力制御信号ＰＤとして利得設定回路１６４に供給する。利得設定回路１６４は、受信増幅部３ａからの変調送信出力制御信号ＰＨａに対応した送信出力制御信号ＰＤと、受信増幅部３ｂからの変調送信出力制御信号ＰＨｂに対応した送信出力制御信号ＰＤとの内で、高い送信出力を示す方を選択する。つまり、利得設定回路１６４は、受信増幅部３ａ及び３ｂの内から伝送品質が低い方の受信増幅部３から送出された変調送信出力制御信号（ＰＨａ又はＰＨｂ）に対応した送信出力制御信号ＰＤを選択する。そして、利得設定回路１６４は、選択した方の送信出力制御信号ＰＤによって示される送信出力の大きさに応じた利得を示す利得信号ＰＧを生成し、これを送信信号処理部１３０の可変利得送信アンプ２３８に供給する。つまり、利得設定回路１６４は、送信出力制御信号ＰＤによって示される送信出力が低いほど、変調オーディオ信号ＴＸの振幅を小さくすべき利得を示す利得信号ＰＧを可変利得送信アンプ２３８に供給するのである。可変利得送信アンプ２３８は、利得信号ＰＧにて示される利得にて、ＤＡ変換器１３７から供給された変調オーディオ信号ＭＡを増幅した変調オーディオ信号ＴＸを、ラインＬ１、コンデンサ１４及び伝送ケーブル２を介して受信増幅部３ａ及び３ｂに送信する。
【００６５】
このように、図９〜図１２に示されるオーディオシステムでは、受信増幅部（３ａ、３ｂ）が、伝送ケーブル２を介して受信した受信変調オーディオ信号（ＲＸａ、ＲＸｂ）に基づきその伝送品質（ＭＥＲ、ＢＥＲ）を判定する。次に、受信増幅部（３ａ、３ｂ）は、かかる伝送品質が高いほど送信出力、つまり変調オーディオ信号ＴＸの振幅を低下させるべき送信出力制御信号（ＰＣＤ）を生成し、これに変調を施した変調送信出力制御信号（ＰＨａ、ＰＨｂ）を伝送ケーブル２を介してオーディオ信号送信部１に送信する。オーディオ信号送信部１では、かかる変調送信出力制御信号（ＰＨａ、ＰＨｂ）を受信し、これに復調処理を施すことにより送信出力制御信号（ＰＤ）を復元する。そして、オーディオ信号送信部１は、この送信出力制御信号（ＰＤ）によって示される送信出力が低いほど、変調オーディオ信号ＴＸを送出する送信アンプ（２３８）の利得を小さくするのである。すなわち、受信増幅部（３ａ、３ｂ）で受信した変調オーディオ信号に基づいて伝送品質を判定し、その伝送品質が高いほど、オーディオ信号送信部１において送信する変調オーディオ信号ＴＸの振幅を小さくすべき制御を行うのである。これにより、伝送に支障を来さない程度に伝送品質を維持しつつ、変調オーディオ信号ＴＸの振幅を抑えることによる放射ノイズ低減を図ることが可能となる。
【００６６】
尚、上記実施例では、低音再生を担う受信増幅部３ａ及びスピーカ４ａと、高音再生を担う受信増幅部３ｂ及びスピーカ４ｂとからなる１チャネル分のスピーカシステムを伝送ケーブル２に接続した構成を示しているが、左右２チャネル分又は３チャネル以上の複数チャネル分のスピーカシステムを伝送ケーブル２に接続した構成を採用しても良い。例えば、図１３に示すように、上記した如き受信増幅部３ａ、３ｂ、スピーカ４ａ及び４ｂからなる１チャネル分のスピーカシステムを、左右２チャネル分用意し、これらを単一の伝送ケーブル２にてオーディオ信号送信部１に接続する。この際、オーディオ信号送信部１は、図１４に示す如く、右チャネル用のオーディオデータ信号ＣＤＤ及び制御データ信号（ＶＯＬａ、ＦＣａ、ＰＣａ、ＶＯＬｂ、ＦＣｂ、ＰＣｂ）と、左チャネル用のオーディオデータ信号ＣＤＤ及び制御データ信号とが順に配置されているフレームオーディオ信号ＦＡを変調した変調オーディオ信号ＴＸを生成する。そして、オーディオ信号送信部１は、かかる変調オーディオ信号ＴＸを伝送ケーブル２を介して右チャネルのスピーカシステム（３ａ、４ａ）及び左チャネルのスピーカシステム（３ｂ、４ｂ）に送信する。右チャネル用の受信増幅部３ａのデータ抽出回路３３４ａは、図１４に示すように、フレームオーディオ信号中から右チャネルに対応した制御データ信号（ＶＯＬａ、ＦＣａ、ＰＣａ）及びオーディオデータ信号ＣＤＤを抽出する。右チャネル用の受信増幅部３ｂのデータ抽出回路３３４ｂは、図１４に示すように、フレームオーディオ信号中から右チャネルに対応した制御データ信号（ＶＯＬｂ、ＦＣｂ、ＰＣｂ）及びオーディオデータ信号ＣＤＤを抽出する。左チャネル用の受信増幅部３ａのデータ抽出回路３３４ａは、図１４に示すように、フレームオーディオ信号中から左チャネルに対応した制御データ信号（ＶＯＬａ、ＦＣａ、ＰＣａ）及びオーディオデータ信号ＣＤＤを抽出する。左チャネル用の受信増幅部３ｂのデータ抽出回路３３４ｂは、図１４に示すように、フレームオーディオ信号中から左チャネルに対応した制御データ信号（ＶＯＬｂ、ＦＣｂ、ＰＣｂ）及びオーディオデータ信号ＣＤＤを抽出する。この際、右チャネルの受信増幅部３ａ及び３ｂ、並びに左チャネルの受信増幅部３ａ及び３ｂでは、夫々で取得した制御データ信号に基づき、前述した如き各種制御を実行する。例えば、右チャネルの受信増幅部３ａ（３ｂ）は、図１４に示す如く、右チャネル用のＣＤＤと、左チャネル用のＣＤＤとの時間差を吸収する為のオフセット遅延時間Ｔｏｆ１に、位相調整データＰＣａ（ＰＣｂ）にて示される位相調整値を加算した遅延時間だけ右チャネル用のＣＤＤを遅延させたものをＡＧａ（ＡＧｂ）としてスピーカ４ａ（４ｂ）に供給する。尚、オフセット遅延時間Ｔｏｆ１は、時分割多重化によって離散した右チャネル用のＣＤＤ及び左チャネル用のＣＤＤ各々の先頭部同士の時間差を無くす為に設定された、右チャネル用のＣＤＤに対する遅延時間である。また、左チャネルの受信増幅部３ａ（３ｂ）は、図１４に示す如く、右チャネル用のＣＤＤと左チャネル用のＣＤＤとの時間差を吸収する為のオフセット遅延時間Ｔｏｆ２に、位相調整データＰＣａ（ＰＣｂ）にて示される位相調整値を加算した遅延時間だけ左チャネル用のＣＤＤを遅延させたものをＡＧａ（ＡＧｂ）としてスピーカ４ａ（４ｂ）に供給する。尚、オフセット遅延時間Ｔｏｆ２は、時分割多重化によって離散した右チャネル用のＣＤＤ及び左チャネル用のＣＤＤ各々の先頭部同士の時間差を無くす為に設定された、左チャネル用のＣＤＤに対する遅延時間である。
【００６７】
要するに、Ｍ個（Ｍは２以上の自然数）のスピーカの各々に受信増幅部を設け、オーディオ信号送出部が、各受信増幅部を個別に制御すべき制御データ信号とオーディオデータ信号とを多重化して変調した変調オーディオ信号を、直流の電源電圧を印加した単一の伝送ケーブルを介して各受信増幅部に送信する。この際、各受信増幅部は、伝送ケーブルを介して供給された電源電圧によって駆動し、以下の如き動作を行う。すなわち、受信増幅部は、受信した変調オーディオ信号から、上記した制御データ信号及びオーディオデータ信号を復調し、このオーディオデータ信号に対して上記制御データ信号に従った制御を施した増幅オーディオ信号をスピーカに供給するのである。
【符号の説明】
【００６８】
１                  オーディオ信号送信部
２                  伝送ケーブル
３ａ、３ｂ          受信増幅部
４ａ、４ｂ          スピーカ
１３                送信信号処理部
１５                電源電圧生成部
３２ａ、３２ｂ      受信信号処理部
３３ａ、３３ｂ      Ｄ級アンプ
３４ａ、３４ｂ      電源電圧導出部
１３５              フレーム生成回路
１３６              変調回路
３２３ａ、３２３ｂ  復調回路
【図１】
2015015618.tif 000003
【図２】
2015015618.tif 000004
【図３】
2015015618.tif 000005
【図４】
2015015618.tif 000006
【図５】
2015015618.tif 000007
【図６】
2015015618.tif 000008
【図７】
2015015618.tif 000009
【図８】
2015015618.tif 000010
【図９】
2015015618.tif 000011
【図１０】
2015015618.tif 000012
【図１１】
2015015618.tif 000013
【図１２】
2015015618.tif 000014
【図１３】
2015015618.tif 000015
【図１４】
2015015618.tif 000016